(57)【要約】
【課題】  研削用液に触れても砥石の強度が劣ることがない立軸平面研削用セグメント形砥石を提供する。
【解決手段】  砥石１の内周部６を外周部７より硬度を低く形成する。砥石１における単位体積当りの砥粒の占める体積割合を、外周部７側より内周部６側を低く形成する。内周部６に回転方向と交差して小幅な研削用液供給及び研削切粉排除用筋９を複数形成する。内周部６、外周部７において周速度に応じて適切な硬度とすることができる。同じ種類の砥粒を内周部６、外周部７設けることができるので、いっそう均一な研削を行うことができる。
【選択図】図１
0003100932.tif 000002
【実用新案登録請求の範囲】
【請求項１】
回転中心軸の周りに配設される立軸平面研削用セグメント形砥石において、砥石の内周部側を外周部側より硬度を低く形成すると共に、前記内周部側を前記外周部側より単位体積当りの砥粒の占める体積割合を低く形成し、かつ内周部に回転方向と交差して小幅な筋を複数形成したことを特徴とする立軸平面研削用セグメント形砥石。
【請求項２】
前記砥石を前記内周部を含む内周部層と、この内周部層の外側に配置される外周部を含む外周部層を備えたことを特徴とする請求項１記載の立軸平面研削用セグメント形砥石。
【考案の詳細な説明】
【技術分野】
【０００１】
本考案は、立軸平面研削用セグメント形砥石に関するものである。
【背景技術】
【０００２】
従来、この種のものとして、砥石の内周部を外周部より硬度を低く形成し、かつ内周部に回転方向と交差して小幅な研削用液供給及び研削切粉排除用筋を複数形成し、目詰まりのしにくい周速度の早い外周部側を高硬度に形成し、目詰まりのしやすい周速度の遅い内周部側を低硬度にすることにより、ワークを均一に研削でき、さらに研削面に研削用液を確実に供給でき、また切削切粉を確実に排除することができる立軸平面研削用セグメント形砥石が知られている。そして、このような砥石は、砥粒を結合材によって結合して形成しており、一般に砥粒の比重は結合材の比重より大きく形成されている。
【特許文献１】実用新案登録第３０５４２６２号公報
【考案の開示】
【考案が解決しようとする課題】
【０００３】
従来技術においては、砥石の内周部と外周部の砥粒の密度が同じ、すなわち砥石における単位体積当りの砥粒に占める体積が同じであると、内周部を外周部より硬度を低く形成しにくい。このため砥石の内周部と外周部の砥粒の密度を同じようにするには、異なる砥粒を設けなければならないが、このような異なる砥粒を設けた場合にはワークにおける研削面の均一仕上りにやや劣るという問題がある。
【０００４】
そこで、本考案は同じ砥粒を用いて砥石の内周部を外周部より硬度を低く形成することができる立軸平面研削用セグメント形砥石を提供することを目的とする。
【課題を解決するための手段】
【０００５】
請求項１の考案は、回転中心軸の周りに配設される立軸平面研削用セグメント形砥石において、砥石の内周部側を外周部側より硬度を低く形成すると共に、前記内周部側を前記外周部側より単位体積当りの砥粒の占める体積割合を低く形成し、かつ内周部に回転方向と交差して小幅な筋を複数形成したことを特徴とする立軸平面研削用セグメント形砥石である。
【０００６】
請求項２の考案は、前記砥石を前記内周部を含む内周部層と、この内周部層の外側に配置される外周部を含む外周部層を備えたことを特徴とする請求項１記載の立軸平面研削用セグメント形砥石である。
【考案の効果】
【０００７】
請求項１の考案によれば、砥石の内周部側を外周部側より単位体積当りの砥粒の占める体積割合を低く形成しているので、同じ砥粒を用いて砥石の内周部側を外周部側より硬度を低く形成することができ、均一な研削を行うことができる。
【０００８】
請求項２の考案によれば、比較的容易に砥石を製造することができる。
【考案を実施するための最良の形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１０】
図１〜４は実施例１を示しており、立軸平面研削は複数のセグメント形の砥石１を回転中心軸２の周りにほぼ円板状のホルダー３を介して放射状に配設し、これら砥石１を中心軸２を回転中心として回転させることによりワークＷと砥石１の先端面４を接触させワークＷの表面を研削するものである。砥石１は同じ砥粒１Ａ,１´Ａをボンドなどと称する結合材１Ｂ,１´Ｂで結合したものである。前記先端面４の他に、該先端面４と反対側に位置する基端面５、回転中心軸２と対向するように位置する内周部６、該内周部６と対向し回転中心軸２と反対側に位置する外周部７、及び内周部６と外周部７との端部間に位置する左右側部８からなる。さらに、内周部６に砥石１の回転方向Ａと直交する方向、すなわち図中上下方向に小凹部状の小幅な筋９が形成されている。この筋９は研削用液供給及び研削切粉排除用に形成されるものであり、その断面はほぼ湾曲して凹状に形成されると共に、前記筋９は波形に複数並設している。そして筋９の開口幅Ｘは０．５〜３ｍｍ、奥行きＹは０．２〜２ｍｍに形成されている。さらに、内周部６の左右両端部に面取り部10を形成する。この面取り部10は内側に突設するような凸円弧状であり、その半径Ｒを２〜１０ｍｍに形成する。
【００１１】
そして、砥石１の硬度は図２に示すように内周部６の硬度ｈが、外周部７の硬度Ｈより低く形成されている。さらに詳述すると、砥石１は内周部層６Ａと外周部層７Ａを有する２層構造であって、内周部層６Ａは内周部６を設けたものであり、外周部層７Ａは中心軸２を中心として内周部層６Ａの外側に位置し外周部７を設けたものである。そして、内周部層６Ａ全体の硬度ｈが、外周部層７Ａ全体の硬度Ｈより段状となって低く形成されているものである。
【００１２】
さらに、砥石１における単位体積当りの砥粒１Ａ,１´Ａの占める体積割合は、内周部６を外周部７より低く形成している。さらに詳述すると、図３で示すように内周部層６Ａの砥石１における単位体積当りの砥粒１Ａの占める体積割合を、図４で示すように外周部層７Ａの砥石１における単位体積当りの砥粒１´Ａの占める体積割合より低く形成している。尚、砥粒１Ａと砥粒１´Ａは同じものである。
【００１３】
尚、前記砥石１の製造にあっては、同じ砥粒１Ａ,１´Ａを単位体積当り少なくした内周部層６Ａと多くした外周部層７Ａとを別々に製造した後に両者を接続する方法、或いは内周部層６Ａ、外周部層７Ａのいずれか一方の層を製造した後、一方の層に他方の層を積層するようにして製造する方法などがある。
【００１４】
次に前記構成についてその作用を説明する。回転中心軸２を中心として砥石１を回転させた際、砥石１の接触面となる先端面４において、外周部７側の硬度を高く（硬く）して目詰まりを防止している。また、先端面４における内周部６側（内周部層６Ａ）の硬度を低く（軟らかく）して、目詰まりを防止している。
【００１５】
さらに、研削時には筋９に沿って研削用液が円滑に先端面４に供給されるので、研削面の発熱防止に寄与し、また砥粉、研削切粉の排除を確実に行う。
【００１６】
以上のように、本考案の実施例では請求項１に対応して、砥石１の内周部６側を外周部７側より硬度を低く形成すると共に、前記内周部６側（内周部層６Ａ）を前記外周部７側（外周部層７Ａ）より単位体積当りの砥粒１Ａ,１´Ａの占める体積割合を低く形成し、すなわち前記内周部６側（内周部層６Ａ）の密度を外周部７側（外周部層７Ａ）より小さくし、かつ前記内周部６に回転方向Ａと交差して小幅な筋９を複数形成したことにより、内周部６、外周部７において周速度に応じて適切な硬度とすることができ、ワークＷを均一に研削でき、さらに研削用液を確実に供給できると共に切削切粉を確実に排除することができる。しかも、硬度の低い前記内周部６側（内周部層６Ａ）における砥石１の単位体積当りの砥粒１Ａの占める体積割合を、硬度の高い外周部７側（外周部層７Ａ）における砥石１の単位体積当りの砥粒１´Ａの占める体積割合より低く形成して、同じ種類の砥粒１Ａ, １´Ａを設けることができるので、いっそう均一な研削を行うことができる。
【００１７】
また、本考案の実施例では請求項２に対応して、砥石１を内周部６を含む内周部層６Ａと、この外側に配置される外周部７を含む外周部層７Ａを備えた２層構造としたことにより、内周部層６Ａと外周部層７Ａとを別々に製造した後に両者を接続したり、一方の層を製造した後、一方の層に他方の層を積層するようにして製造する方法などにより比較的容易に製造することができる。
【産業上の利用可能性】
【００１８】
以上のように本考案にかかる砥石は、例えば実施例では平面が直方体形のものを示したが、平面を円弧状のものとする等種々の変形が可能である。
【図面の簡単な説明】
【００１９】
【図１】本考案の実施例１を示す一部を拡大した斜視図である。
【図２】本考案の実施例１を示す全体の断面図である。
【図３】本考案の実施例１を示す内周部層側要部の断面図である。
【図４】本考案の実施例１を示す外周部層側要部の断面図である。
【符号の説明】
【００２０】
１  砥石
１Ａ  １´Ａ  砥粒
２  回転中心軸
６  内周部
６Ａ  内周部層
７  外周部
７Ａ  外周部層
９  筋
Ａ  回転方向
【図１】
0003100932.tif 000003
【図２】
0003100932.tif 000004
【図３】
0003100932.tif 000005
【図４】
0003100932.tif 000006